(57)【要約】【課題】現実の世界に近い、高い臨場感を実現する音響再生方法を簡易な手段で得る。【解決手段】室内の壁１又は天井３又は床４又はこれらの内の任意の組み合わせからなる反射体に対し、スピーカーＳの音波放射面を間隔を開けて指向して駆動することにより、スピーカーから放射された音波を反射体により室内に反射拡散させる。【選択図】　図２
2004146953.tif 000002
【特許請求の範囲】
【請求項１】
室内の壁又は天井又は床又はこれらの内の任意の組み合わせからなる反射体に対し、スピーカーの音波放射面を間隔を開けて指向して駆動することにより、スピーカーから放射された音波を反射体により室内に反射拡散させることを特徴とする音響再生方法。
【請求項２】
反射体中の一部に吸音面を配した請求項１記載の音響再生方法。
【請求項３】
家具又は室内装置品の側面又は背面に、一個又は複数個のスピーカーを音波放射面を斜め方向に指向して配したことを特徴とする音響装置。
【請求項４】
天井から吊り下げる形式の照明器具の上面に、一個又は複数個のスピーカーを音波放射面を斜め上方に指向して配したことを特徴とする音響装置。
【請求項５】
テーブルの天板の下面に、一個又は複数個のスピーカーを音波放射面を斜め下方に指向して配したことを特徴とする音響装置。
【発明の詳細な説明】
【０００１】
【発明の属する技術分野】
この発明は、アンプに接続されたスピーカーにより、音楽や音声等の音響を発生する音響再生方法に関し、より詳細には高い臨場感を実現する音響再生方法に関する。
【０００２】
【従来の技術】
スピーカーによる再生音響を得るシステムとしては、左右チャンネルに振り分けた一対のスピーカーの音波放射面を聴取者側に指向してスピーカーを駆動するステレオシステムが一般的であった。又、近年では左右チャンネルの他にセンターチャンネル及びリアチャンネルを備えて、前方左右・中央、後方左右にスピーカーを振り分けたサラウンドシステムも普及している。
【０００３】
前者のシステムの場合、音波はスピーカーという固定点から放射されるので、音響に関して聴取者が音像の定位感や移動感を求める場合には最適な再生方法であった。又、後者のシステムは映画などの映像の鑑賞の際の音響再生システムとして採用されているが、映像と連動した前後左右の音像の定位感や移動感を楽しむには最適な再生方法であった。
【０００４】
【発明が解決しようとする課題】
以上の従来技術は音像の正確な定位感と移動感を再現するので、高い臨場感が実現されるように見える。しかしながら、現実の世界においては音像の要素はこれだけにとどまらず、音響を発する音源は無数に有り、音響は聴取者の四周から発せられる。従って、このような要素に関しの臨場感を求める場合には、以上の従来技術の再生方法で得られる臨場感は人工的に過ぎ、現実感が乏しいという不満が生じた。
【０００５】
又、音楽の鑑賞は、その音楽に集中して楽器の一つ一つまで思い浮かべて聴取するような鑑賞の仕方が全てではなく、バックグラウンドミュージック的に鑑賞する場合や、リラクゼーション環境やヒーリング環境の一つの要素として音楽を捉える場合もある。このような場合に求める音響は「包み込むような音響」であり、音像の定位感や移動感が強調されることは却って鑑賞の妨げとなった。
【０００６】
一方、例えば、室内の各所に人員が分散する飲食店や商店等の店舗においては、聴取者の位置が区々であり、従来技術の音響再生方法ではある者にとっては丁度良い聴き具合であっても、他の者にとっては音の響きのバランスが不自然であったり、音量が不適切であったりする問題が生じた。
【０００７】
ところで、従来、音像の定位感や移動感を感じさせない音響の再生手段としては無指向性スピーカーシステムによる再生方法が存した。しかしながら、この手段においても聴取者がスピーカーから直接放射される音響を聴いていることには変わりはなく、スピーカーからの聴取者の距離により聴き具合が変化する問題は解消されなかった。
【０００８】
又、異なる手段としては、壁面に無数のスピーカーを配するスピーカーウォールが存するが、専門の劇場やリスニングルームならともかくも、一般の家庭や店舗においてはそのようなスピーカーの設置面積を確保できず、又、それに要するコストも非現実的なものであった。
【０００９】
更に、異なる手段としては、コーン紙の代わりに大きな板を振動させる平面スピーカーシステムも存するが、それ自体が大きな占有面積をとる問題があり、又、構造上高音域の再生に難があるので、結局、ツイーターを別途設けなくてはならず、それにより音像が定位してしまうという問題があった。
【００１０】
【課題を解決するための手段】
この発明は以上の従来技術の問題点に鑑みて創作されたものであり、特定の音源を意識させずに聴取者を包み込むような臨場感に溢れた音響を実現するシステムを簡易な手段で提供することを目的とする。
【００１１】
即ち、この発明の音響再生方法は室内の壁又は天井又は床又はこれらの内の任意の組み合わせからなる反射体に対し、スピーカーの音波放射面を間隔を開けて指向して駆動することにより、スピーカーから放射された音波を反射体により室内に反射拡散させることを特徴とする。
【００１２】
【発明の実施の形態】
以下、この発明の具体的実施例を添付図面に基づいて説明する。この発明の特徴は室内の既存の壁、天井、床を反射体として利用し、そこにスピーカーからの音波を衝突させることにより、面状に反射、拡散される音響を得ようという点にある。よって、反射体として利用される壁、天井、床は音波をある程度反射させるようなものであることが望ましく、例えば壁や天井はクロス貼りよりは木製や塗り壁であることが、床はカーペット貼りよりはフローリングの方が望ましい。
【００１３】
又、スピーカーの音波放射面は反射体に対して間隔を保つと共に、反射面に対して斜めに指向することが望ましい。図１乃至図７にスピーカーの幾つかの配置例を示す。
（１）　図１においては、スピーカーＳは部屋の中央付近に背中合わせに２個づつ配されており、音波放射面はそれぞれ前後の壁１、１のコーナー付近を指向している。図において、矢印線はこの場合の音波の流れを示す（以下、同じ）。
（２）　図２においては、スピーカーＳは部屋の中央付近に前後に背中合わせの各３個の組が配されると共に、これらの中間に左右に背中合わせの各１つが配されており、音波放射面はそれぞれ前後の壁１、１全域と左右の壁２、２の中央付近を指向している。
（３）　図３は、スピーカーの上下方向の配置例を示すものであり、ここでは部屋の天井中央付近に背中合わせにスピーカーＳが配されており、これらの音波放射面は前後の壁１、１に対し斜め下方に指向している。尚、図中符号Ｌは聴取者である。
（４）　図４は、やはりスピーカーの上下方向の配置例を示すものであり、ここでは部屋の天井中央付近よりやや下がった位置に一対のスピーカーＳが配されており、これらの音波放射面は天井３に対し斜め上方に指向している。
（５）　図５においては、天井３の壁近くと、床４の壁近くにそれぞれ一対のスピーカーＳが配されており、天井側のスピーカーの音波放射面は壁１に対し斜め下方に指向し、床側のスピーカーの音波放射面は壁１に対し斜め上方に指向している。
（６）　図６においては、左右の壁２、２の前方の壁１近くにそれぞれ一対のスピーカーＳが配されており、これらのスピーカーの音波放射面は壁１に対し斜め方向に指向している。
（７）　図７においては、左右の壁２、２の前方の壁１近くと、床４の前方の壁１近くにスピーカーＳが配されており、壁２側のスピーカーの音波放射面は壁１に対し斜め下方に指向し、床４側のスピーカーの音波放射面は壁１に対し斜め上方に指向している。
【００１４】
図８はこの発明の異なる実施例を示す図であり、ここでは壁１の一部と、壁２の一部と、床４の一部にそれぞれ吸音面１Ａ、２Ａ、４Ａを配することにより、この付近だけ音響を減衰させている。この実施例は例えば店舗において、電話機付近等に弱音スペースを確保したいような場合に有用である。
【００１５】
以上の音響再生方法に使用するスピーカーＳは、スピーカーユニットをエンクロージャーに収容した公知の構成のものである。この場合、スピーカーユニットは指向性の高いものを使用した方が、明瞭な反射音を得られる。一方、この発明においては音像の定位感を生じさせず、音響は音源を意識させずにどこからともなく包み込むような感じで再生することを本質としていることは前記した通りである。従って、スピーカーＳはできれば人目に触れないことが望ましく、又、設置スペースも最小限であることが望ましい。このような条件を備えた音響再生装置を図９乃至図１２に基づいて説明する。
【００１６】
図９は、スピーカーＳを家具１０に収容した音響再生装置を示す図である。家具としてここではソファーを例示しているが、家具はこれに限られず、例えば、キャビネット、ワゴン、或いはその他の家具であってもよいことは勿論である。スピーカーＳは一個又は複数個が家具の正面以外の側面や背面に音波放射面を露出して収容されるものであり、音波放射面は斜め方向に指向される。尚、この実施例においてはスピーカーＳを家具に対して前後左右に揺動可能な構成としている。
【００１７】
図１０は、スピーカーＳを室内装置品２０に収容した音響再生装置を示す図である。室内装置品としてここでは植木鉢を例示しているが、室内装置品はこれに限られず例えば、スタンド灰皿、傘立て、置物、或いはその他の家具であってもよいことは勿論である。スピーカーＳは一個又は複数個が室内装置品の正面以外の側面や背面に音波放射面を露出して収容されるものであり、音波放射面は斜め方向に指向される。
【００１８】
図１１は、スピーカーＳを照明器具３０に収容した音響再生装置を示す図である。照明器具３０は吊り下げ具３１を介して天井から吊り下げられるものであり、スピーカーＳは照明器具の上面に、一個又は複数個が音波放射面を斜め上方に指向して収容される。
【００１９】
図１２は、スピーカーＳをテーブル４０に収容した音響再生装置を示す図である。スピーカーＳはテーブルの天板４１の下面に、一個又は複数個が音波放射面を斜め下方に指向して収容される。
【００２０】
【発明の効果】
以上の構成よりなるこの発明は次の特有の効果を奏する。
（１）　反射面の面積分が音響の音源として聴取者に認識されるので、現実の世界に近い、包み込まれるような臨場感を得られる。
（２）　スピーカーからの音波を反射して拡散するので、スピーカー自体は小型で本数も最小限のものでよく、又、反射体は既存の壁、天井、床を利用するので、従来のスピーカーウォールに比しコストが格段に低く、しかも装置の設置面積も小さいので一般の家庭や店舗においても容易に導入することが可能となる。
（３）　部屋全体の壁、天井、床を反射体として利用する場合は、臨場感に溢れたサラウンド効果を得られ、しかも部屋のどこにいても同じような聴き具合を得ることができる。
【図面の簡単な説明】
【図１】この発明の音響再生方法におけるスピーカーの配置例を示す一部切り欠き平面図。
【図２】この発明の音響再生方法におけるスピーカーの配置例を示す一部切り欠き平面図。
【図３】この発明の音響再生方法におけるスピーカーの配置例を示す一部切り欠き側面図。
【図４】この発明の音響再生方法におけるスピーカーの配置例を示す一部切り欠き側面図。
【図５】この発明の音響再生方法におけるスピーカーの配置例を示す一部切り欠き側面図。
【図６】この発明の音響再生方法におけるスピーカーの配置例を示す一部切り欠き平面図。
【図７】この発明の音響再生方法におけるスピーカーの配置例を示す一部切り欠き斜視図。
【図８】この発明の音響再生方法の異なる実施例の一部切り欠き斜視図。
【図９】この発明の音響再生装置の斜視図。
【図１０】同上、異なる実施例の斜視図。
【図１１】同上、異なる実施例の斜視図。
【図１２】同上、異なる実施例の斜視図。
【符号の説明】
１　　　壁
２　　　壁
３　　　天井
４　　　床
Ｓ　　　スピーカー
【図１】
2004146953.tif 000003
【図２】
2004146953.tif 000004
【図３】
2004146953.tif 000005
【図４】
2004146953.tif 000006
【図５】
2004146953.tif 000007
【図６】
2004146953.tif 000008
【図７】
2004146953.tif 000009
【図８】
2004146953.tif 000010
【図９】
2004146953.tif 000011
【図１０】
2004146953.tif 000012
【図１１】
2004146953.tif 000013
【図１２】
2004146953.tif 000014